(57)【要約】【課題】  カラオケ楽曲の演奏を中止した場合であっても、再度、当該カラオケ楽曲を最初から歌い直すことなく最終的な歌唱音声の録音データを得る。【解決手段】  演奏中止手段５２ａの機能により演奏が中止されたカラオケ楽曲の再演奏を指示する再演奏指示手段２２ｄと、録音手段４８の機能により歌唱音声の録音が行われている任意のカラオケ楽曲について、演奏中止手段５２ａの機能により演奏が中止された場合に、少なくとも、当該カラオケ楽曲の楽曲ＩＤと、録音済演奏範囲データと、中途録音データと、を紐付けして、中途録音情報記憶部４３ｂに記録する録音情報記録手段４８ａと、カラオケ楽曲の再演奏が指示された場合には、録音済演奏範囲データに基づき、録音済演奏範囲については歌唱音声の録音を行わないように制御する録音機能制御手段５０と、を備える。【選択図】  図１
2010237389.tif 000002
【特許請求の範囲】
【請求項１】
任意のカラオケ楽曲の演奏を中止させる演奏中止機能と、歌唱音声を録音する録音機能と、を有するカラオケシステムであって、再演奏指示手段と、録音情報記録手段と、録音機能制御手段と、を備え、
前記再演奏指示手段は、演奏中止機能により演奏が中止されたカラオケ楽曲の再演奏を指示し、
前記録音情報記録手段は、前記録音機能により歌唱音声の録音が行われている任意のカラオケ楽曲について、前記演奏中止機能により演奏が中止された場合に、少なくとも、当該カラオケ楽曲の楽曲ＩＤと、録音済演奏範囲データと、中途録音データと、を紐付けして、中途録音情報記憶部に記録し、
前記録音機能制御手段は、前記カラオケ楽曲の再演奏が指示された場合には、前記録音済演奏範囲データに基づき、録音済演奏範囲については歌唱音声の録音を行わないように制御する、
ことを特徴とする演奏中止対応カラオケ録音システム。
【請求項２】
歌詞表示制御手段をさらに備え、
前記歌詞表示制御手段は、前記カラオケ楽曲の再演奏が指示された場合には、前記録音済演奏範囲データに基づき、当該カラオケ楽曲の歌詞表示において、歌唱音声の録音を行わない録音済演奏範囲と歌唱音声の録音を行う未録音演奏範囲とを識別可能に表示制御する、
ことを特徴とする請求項１に記載の演奏中止対応カラオケ録音システム。
【発明の詳細な説明】
【技術分野】
【０００１】
本発明は、任意のカラオケ楽曲の演奏を中止させる演奏中止機能と、歌唱音声を録音する録音機能と、を有するカラオケ演奏装置において、演奏が中止された演奏範囲に対応させて歌唱音声の録音を行う演奏中止対応カラオケ録音システムに関するものである。
【背景技術】
【０００２】
現在普及しているカラオケ演奏装置には録音機能を有したものがある。この録音機能は、マイクロホンから入力された歌唱者の歌唱音声と、カラオケ楽曲の演奏音とをミキシングして記録する機能であり、録音データをＣＤ等の記録媒体に記録することができるようになっている。
【０００３】
また、カラオケ演奏装置を利用して歌唱を行う際には、必ずしもカラオケ楽曲の最後まで歌いきるとは限らず、歌唱の途中でカラオケ楽曲の演奏中止を望む場合があるため、現在普及しているカラオケ演奏装置は、演奏中止機能を有している。カラオケ楽曲の演奏中に当該演奏を中止させるには、例えば、カラオケリモコン装置に設けられた演奏中止スイッチを操作すればよい。ところで、歌唱者はマイクロホンを手に持って歌唱を行うのが一般的であり、この際、カラオケリモコン装置は歌唱者ではなく聴取者の手元にある。したがって、カラオケリモコン装置を用いて演奏中止操作を行うのは聴取者ということになり、歌唱者の意思に反して演奏が中止されてしまうことがある。
【０００４】
ところで、従来のカラオケ演奏装置では、演奏中止機能を用いてカラオケ楽曲の演奏が途中で中止された場合、演奏が中止された演奏範囲以前の録音データしか記録することができず、すべての演奏範囲を通しての録音データを得るためには、再度、当該カラオケ楽曲を最初から歌い直さなければならなかった。特に、歌唱者の意思に反して演奏が中止された場合には、歌唱者は興ざめし、カラオケ演奏装置を用いた歌唱の楽しさを味わうことができなくなってしまう。
【０００５】
従来、上述した不都合に対して、カラオケ楽曲の演奏中止を指示するための手段をマイクロホンに設けることにより、歌唱者の意思に反することなく演奏中止を行うことができる技術が開示されている（特許文献１参照）。特許文献１に記載された技術は、演奏手段と、マイクロホンと、受信手段と、制御手段とを備えている。そして、演奏手段は、制御手段の制御に従ってカラオケ楽曲を演奏し、マイクロホンは、送信手段の動作をオンオフさせるスイッチを有し、受信手段は、マイクロホンの受信信号から復調した歌声信号をアンプに供給するとともに、受信信号の有無をあらわす状態信号を出力し、制御手段は、演奏手段にカラオケ楽曲を演奏させている際、状態信号が有から無に変化すると、当該楽曲の演奏をフェードアウトさせて中止するようになっている。
【０００６】
また、誤操作による演奏の強制終了を防止するための技術が開示されている（特許文献２参照）。特許文献２に記載された技術は、演奏手段と、音量測定手段と、制御手段とを備えている。そして、演奏手段は、制御手段の制御に従ってカラオケデータに基づいてカラオケ楽曲を演奏し、音量測定手段は、マイクロホンに入力される音声の音量値を出力し、制御手段は、演奏中止処理と、音声入力判断処理と、演奏継続処理とを実行する。ここで、演奏中止処理は、カラオケ演奏手段に楽曲演奏を行わせている際、所定のユーザ入力があると、当該演奏を中止する。また、音声入力判断処理は、カラオケ演奏手段に楽曲演奏を行わせている際、音量測定手段からの音量値に基づいて歌唱継続中か否かを認識する。また、演奏継続処理は、音声入力判断処理において、歌唱継続中であると認識しているときには演奏中止処理を実行しない。
【先行技術文献】
【特許文献】
【０００７】
【特許文献１】特開２００７−５７８３８号公報
【特許文献２】特開２００７−２７１９７５号公報
【発明の概要】
【発明が解決しようとする課題】
【０００８】
しかしながら、上述した従来の技術を利用したとしても、カラオケ楽曲の演奏が途中で中止されてしまうことがあり、すべての演奏範囲にわたる録音データを得るためには、再度、当該カラオケ楽曲を最初から歌い直さなければならないという不都合は解消されていない。
【０００９】
上述したように、歌唱者の意思に反してカラオケ楽曲の演奏が途中で中止されてしまった場合に、再度、当該カラオケ楽曲を最初から歌い直すのでは、歌唱者のモチベーションが下がってしまうおそれがある。また、カラオケ楽曲が演奏されている途中で、歌唱者に何らかの用事ができたり、喉に不調を感じたりして、歌唱者の意思に基づいてカラオケ楽曲の演奏を途中で中止する場合もある。この場合にも、再度、当該カラオケ楽曲を最初から歌い直すのは、歌唱者にとって負担である。また、同一の利用者がカラオケ演奏装置を独占することになり、他の利用者との間で不公平感が生じるおそれがある。さらに、カラオケ楽曲を最初から歌い直すことにより、カラオケルームの使用時間が延長された場合には、それだけ料金が嵩んでしまう。
【００１０】
本発明は、上述した事情に鑑み提案されたもので、カラオケ楽曲の演奏を中止した場合であっても、再度、当該カラオケ楽曲を最初から歌い直すことなく、すべての演奏範囲にわたる録音データを得ることが可能な演奏中止対応カラオケ録音システムを提供することを目的とする。
【課題を解決するための手段】
【００１１】
本発明の演奏中止対応カラオケ録音システムは、上述した目的を達成するため、以下の特徴点を有している。すなわち、本発明の演奏中止対応カラオケ録音システムは、任意のカラオケ楽曲の演奏を中止させる演奏中止機能と、歌唱音声を録音する録音機能と、を有するカラオケシステムであって、再演奏指示手段と、録音情報記録手段と、録音機能制御手段と、を備えている。
【００１２】
再演奏指示手段は、演奏中止機能により演奏が中止されたカラオケ楽曲の再演奏を指示するための手段である。録音情報記録手段は、録音機能により歌唱音声の録音が行われている任意のカラオケ楽曲について、演奏中止機能により演奏が中止された場合に、少なくとも、当該カラオケ楽曲の楽曲ＩＤと、録音済演奏範囲データと、中途録音データと、を紐付けして、中途録音情報記憶部に記録するための手段である。録音機能制御手段は、カラオケ楽曲の再演奏が指示された場合には、録音済演奏範囲データに基づき、録音済演奏範囲については歌唱音声の録音を行わないように制御するための手段である。
【００１３】
このような構成からなる演奏中止対応カラオケ録音システムでは、録音機能により歌唱音声の録音を行うことができ、演奏中止機能により演奏途中で演奏を中止させることができる。そして、歌唱音声の録音が行われているカラオケ楽曲の演奏が中止されると、録音情報記録手段により、当該カラオケ楽曲の楽曲ＩＤと、録音済演奏範囲データと、中途録音データと、を紐付けして、中途録音情報記憶部（例えば、ＲＡＭ）に記録する。
【００１４】
そして、カラオケ楽曲の再演奏が指示された場合には、録音機能制御手段の機能により録音済演奏範囲データを参照し、録音済演奏範囲については歌唱音声の録音を行わないように制御される。すなわち、演奏が途中で中止されたカラオケ楽曲の再演奏が指示された場合には、歌唱音声が記録されていない未録音演奏範囲のみについて、録音機能による歌唱音声の記録が行われる。
【００１５】
また、上述した構成に加えて、歌詞表示制御手段をさらに備えることが可能である。歌詞表示制御手段は、カラオケ楽曲の再演奏が指示された場合には、録音済演奏範囲データに基づき、当該カラオケ楽曲の歌詞表示において、歌唱音声の録音を行わない録音済演奏範囲と歌唱音声の録音を行う未録音演奏範囲とを識別可能に表示制御するための手段である。
【００１６】
このような構成からなる演奏中止対応カラオケ録音システムでは、演奏が途中で中止されたカラオケ楽曲の再演奏が指示された場合には、歌詞表示制御手段の機能により録音済演奏範囲データを参照し、歌唱音声の録音を行わない録音済演奏範囲と歌唱音声の録音を行う未録音演奏範囲とが識別可能となるように、歌詞表示が行われる。
【発明の効果】
【００１７】
本発明の演奏中止対応カラオケ録音システムによれば、歌唱音声の録音が行われているカラオケ楽曲の演奏が途中で中止されると、当該カラオケ楽曲について、楽曲ＩＤと、録音済演奏範囲データと、中途録音データとが紐付けされて、中途録音情報記憶部に記録される。そして、当該カラオケ楽曲の再演奏が指示された場合に、録音済演奏範囲については歌唱音声の録音を行わないように制御される。
【００１８】
したがって、歌唱音声の録音が行われているカラオケ楽曲の演奏が途中で中止され、当該カラオケ楽曲の再演奏を行う場合に、再度、最初から歌い直す必要がなく、未録音演奏範囲のみを歌唱するだけで、すべての演奏範囲にわたる録音データを得ることができる。このため、歌唱者の負担を軽減することができるとともに、カラオケ演奏装置を効率的に使用することができる。特に、歌唱者の意思に反してカラオケ楽曲の演奏が中止された場合には、歌唱者のモチベーションを下げることなく、歌唱の楽しさを十分に味わうことが可能となる。
【００１９】
また、再演奏が指示されたカラオケ楽曲の歌詞表示において、歌唱音声の録音を行わない録音済演奏範囲と歌唱音声の録音を行う未録音演奏範囲とを識別可能に表示制御する構成とした場合には、歌唱者に対して、歌い直しを行うタイミングを明確に知らしめることが可能となる。
【図面の簡単な説明】
【００２０】
【図１】本発明の実施形態に係る演奏中止対応カラオケ録音システムを適用するカラオケ演奏装置のブロック図。
【図２】中途録音情報の構成を示す説明図。
【図３】本発明の実施形態に係る演奏中止対応カラオケ録音システムによる再演奏／追加録音制御を説明する説明図。
【図４】演奏中止指示／再演奏指示を説明するためのカラオケリモコン装置の模式図。
【図５】再演奏が開始された際、表示装置に表示される歌詞テロップ表示画面の模式図。
【発明を実施するための形態】
【００２１】
以下、図面を参照して、本発明の演奏中止対応カラオケ録音システムの実施形態を説明する。本発明の実施形態に係る演奏中止対応カラオケ録音システムは、任意のカラオケ楽曲の演奏を中止させる演奏中止機能と、歌唱音声を録音する録音機能と、を有しており、主な構成要素として、再演奏指示手段と、録音情報記録手段と、録音機能制御手段と、を備えている。図１に、本発明の実施形態に係る演奏中止対応カラオケ録音システムを適用するカラオケ演奏装置の構成を示す。
【００２２】
＜カラオケ演奏装置＞
本発明の実施形態のカラオケ演奏装置１１は、図１に示すように、カラオケ本体２１、カラオケリモコン装置２２、マイクロホン２３、ミキシングアンプ２４、スピーカ２５、表示装置２６を備えている。
【００２３】
＜カラオケリモコン装置＞
カラオケリモコン装置２２は、ユーザインタフェース機能を備えており、カラオケ本体２１の送受信手段４５に対して有線方式又は無線方式によりデータの送受信を行うようになっている。このカラオケリモコン装置２２は、楽曲検索手段２２ａとして機能するプログラム、楽曲索引データベース２２ｂ、演奏中止指示手段２２ｃとして機能する回路基板及びプログラム、再演奏指示手段２２ｄとして機能する回路基板及びプログラム、利用者ＩＤ取得手段２２ｅとして機能する回路基板及びプログラム、データの送受信を行うための回路基板及びプログラム、フラッシュメモリ等からなる記憶手段（図示せず）を備えている。このカラオケリモコン装置２２に付帯されたスイッチ類や、入出力表示部（図示せず）に表示される各種のアイコン等を操作することにより、選曲操作、演奏中止操作、再演奏開始操作、録音操作等が行われる。
【００２４】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏装置１１で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２５】
＜演奏中止指示手段＞
演奏中止指示手段２２ｃは、カラオケ楽曲の演奏中止を指示するための回路基板及びプログラムからなる。例えば、カラオケリモコン装置２２には演奏中止スイッチが設けられており（図４参照）、この演奏中止スイッチを操作することにより演奏中止指示手段２２ｃが機能し、カラオケ本体２１に対して演奏中止指示信号を送信する。そして、演奏中止指示信号を受信したカラオケ本体２１は、演奏中止手段５２ａの機能によりカラオケ楽曲の演奏を中止する。また、歌唱音声の録音が行われているカラオケ楽曲の演奏が中止された場合には、録音情報記録手段４８ａの機能により、中途録音情報が中途録音情報記憶部４３ｂに記録される。
【００２６】
＜再演奏指示手段＞
再演奏指示手段２２ｄは、演奏が中止されたカラオケ楽曲の再演奏を指示するための回路基板及びプログラムからなる。例えば、カラオケリモコン装置２２には再演奏指示スイッチが設けられており（図４参照）、この再演奏指示スイッチを操作することにより再演奏指示手段２２ｄが機能し、カラオケ本体２１に対して再演奏指示信号を送信する。そして、再演奏指示信号を受信したカラオケ本体２１は、再演奏制御手段５２ｂの機能により、演奏が中止されたカラオケ楽曲について所定の演奏範囲から再演奏を行わせる。
【００２７】
＜利用者ＩＤ取得手段＞
利用者ＩＤ取得手段２２ｅは、利用者がカラオケ演奏装置１１を利用する際に、利用者が所持するＩＤ媒体３１から利用者ＩＤを取得するための電子回路及びプログラムからなる。利用者ＩＤ取得手段２２ｅで取得した利用者ＩＤは、ＲＡＭ４３に一時的に記憶され、ログイン利用者管理手段４７で管理される。ＩＤ媒体３１は、例えば、非接触型のＩＤカード、携帯電話、携帯情報端末等からなり、利用者ＩＤを記憶して、利用者ＩＤ取得手段２２ｅとの間でデータの送受信を行うことができるようになっている。
【００２８】
＜カラオケ本体＞
カラオケ本体２１は、中央制御手段４１、ＲＯＭ４２、ＲＡＭ４３、ＨＤＤ４４、送受信手段４５、予約管理手段４６、ログイン利用者管理手段４７、録音手段４８、録音情報記録手段４８ａ、録音機能制御手段５０、Ａ／Ｄコンバータ５１、音楽再生制御手段５２、演奏中止手段５２ａ、再演奏制御手段５２ｂ、映像再生制御手段５３、歌詞表示制御手段５３ａを備えている。
【００２９】
＜中央制御手段＞
中央制御手段４１は、カラオケ本体２１を総合的に制御するための手段であり、例えばＣＰＵ及びその周辺機器により構成されており、ＣＰＵ等がＲＯＭ４２等に記憶されたアプリケーションプログラムに従って動作することにより、制御機能を発揮することができるようになっている。
【００３０】
＜ＲＯＭ／ＲＡＭ＞
ＲＯＭ４２は、カラオケ本体２１を構成する各機器を制御するためのアプリケーションプログラムデータや数値データを記憶するための機器で、例えば半導体メモリ等で構成される。また、ＲＡＭ４３は、アプリケーションプログラムや各種データを一時的に記憶する一時記憶領域として機能するもので、例えば半導体メモリ等で構成される。なお、物理的な半導体メモリによりＲＡＭ４３を構成するのではなく、ハードディスク記憶装置等を用いて仮想的なＲＡＭ４３を構成してもよい。本実施形態では、ＲＡＭ４３に、予約待ち行列４３ａが記録される。さらに、ＲＡＭ４３は、中途録音情報を記憶するための中途録音情報記憶部４３ｂと、完成録音情報を記憶するための完成録音情報記憶部４３ｃとを備えている。
【００３１】
＜ＨＤＤ＞
ＨＤＤ４４は、大容量記憶装置として機能するもので、楽曲データベース（楽曲ＤＢ）４４ａ及び映像データベース（映像ＤＢ）４４ｂが格納されている。なお、ＨＤＤ４４に替えて、あるいはＨＤＤ４４とともに、データを書き替え可能なＤＶＤ等の大容量記憶装置を用いてもよい。
【００３２】
楽曲データベース４４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期されたカラオケ楽曲の歌詞文字データである。なお、歌詞文字データには、歌詞文字の表示色データ、色変わりデータ等が含まれている。映像データベース４４ｂは、演奏されるカラオケ楽曲に対応した背景映像を、当該カラオケ楽曲の楽曲ＩＤに対応させた映像ファイルとして所定数格納したデータベースである。
【００３３】
＜送受信手段＞
送受信手段４５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間で、データの送受信が行われる。
【００３４】
＜予約管理手段＞
予約管理手段４６は、利用者により楽曲検索手段２２ａの機能を用いて選曲され、送受信手段４５を介して送信された当該選曲者の利用者情報（例えば利用者ＩＤ）及び選曲された楽曲ＩＤを対応付けて予約待ち行列４３ａとしてＲＡＭ４３に格納し、管理するためのプログラムである。なお、楽曲選択の表示や予約待ち行列４３ａの表示は、カラオケリモコン装置２２の入出力表示部（図示せず）及び表示装置２６のいずれか一方、あるいは双方で行うことができる。
【００３５】
＜ログイン利用者管理手段＞
ログイン利用者管理手段４７は、現に当該カラオケ演奏装置１１にログインしている利用者を、利用者ＩＤに基づき特定して管理するためのプログラムからなる。すなわち、ログイン利用者管理手段４７では、利用者ＩＤ取得手段２２ｅにより利用者ＩＤが取得された場合に、この利用者ＩＤに基づいてカラオケ演奏装置１１にログインしている利用者を特定して管理する。
【００３６】
＜録音手段＞
録音手段４８は、任意のカラオケ楽曲が演奏され、当該カラオケ楽曲について歌唱音声の録音が指示された場合に、マイクロホン２３から入力された歌唱者の歌唱音声データと、当該カラオケ楽曲の演奏データとをミキシングし、中途録音データや完成録音データ等の録音でデータを作成するためのプログラムからなる。また、録音手段４８は、録音情報記録手段４８ａとして機能するプログラムを含んでいる。
【００３７】
＜録音情報記録手段＞
録音情報記録手段４８ａは、録音機能により歌唱音声の録音が行われている任意のカラオケ楽曲について、演奏中止手段５２ａの機能により演奏が中止された場合に、少なくとも、当該カラオケ楽曲の楽曲ＩＤと、録音済演奏範囲データと、中途録音データと、を紐付けして、中途録音情報記憶部４３ｂに記録するためのプログラムからなる。図２に、中途録音情報記憶部４３ｂに記憶される中途録音情報の構成を示す。中途録音情報は、図２に示すように、楽曲ＩＤと、録音済演奏範囲データと、中途録音データとが紐付けされて構成されている。なお、中途録音情報として、利用者ＩＤを含めて記録してもよい。利用者ＩＤを含めて中途録音情報を記録した場合には、歌唱者を特定して再演奏及び歌唱音声の録音の続行を行うことができる。
【００３８】
＜録音機能制御手段＞
録音機能制御手段５０は、カラオケ楽曲の再演奏が指示された場合には、録音済演奏範囲については歌唱音声の録音を行わないように制御するためのプログラムからなる。すなわち、演奏が中止されたカラオケ楽曲の再演奏が指示されると、録音機能制御手段５０の機能により録音手段４８を制御して、録音済演奏範囲については歌唱音声の録音を行わず、歌唱音声が録音されていない未録音演奏範囲について歌唱音声の録音が行われる。このようにして、すべての演奏範囲について歌唱音声の録音が行われると、完成録音情報を得ることができる。なお、すべての未録音演奏範囲の演奏が終了する以前に演奏が中止された場合には、中途録音情報が作成されて中途録音情報記憶部４３ｂに記録され、すべての演奏範囲の録音が終了すると、完成録音情報が作成されて完成録音情報記憶部４３ｃに記録される。
【００３９】
＜音楽再生制御手段＞
音楽再生制御手段５２は、楽曲ＩＤに基づいて楽曲データベース４４ａから抽出された演奏データをデジタル再生するとともにアナログ変換してミキシングアンプ２４に出力するための電子回路である。ミキシングアンプ２４は、マイクロホン２３から入力された歌唱者の歌唱音声信号と、音楽再生制御手段５２から送出される演奏音声信号とをミキシングするとともに、アンプ機能により増幅してスピーカ２５より出力させるための装置である。なお、本実施形態では、録音手段４８において歌唱音声信号を利用するため、マイクロホン２３からの歌唱音声信号が、カラオケ本体２１のＡ／Ｄコンバータ５１へ入力されている。
さらに、音楽再生制御手段５２は、演奏中止手段５２ａとして機能するプログラムと、再演奏制御手段５２ｂとして機能するプログラムと、を含んでいる。
【００４０】
＜演奏中止手段＞
演奏中止手段５２ａは、カラオケリモコン装置２２の演奏中止指示手段２２ｃからの演奏中止信号を受信した場合に、現在演奏中のカラオケ楽曲について、その演奏を中止させるためのプログラムからなる。そして、歌唱音声の録音が行われているカラオケ楽曲の演奏が中止された場合には、録音情報記録手段４８ａの機能により、中途録音情報が中途録音情報記憶部４３ｂに記録される。
【００４１】
＜再演奏制御手段＞
再演奏制御手段５２ｂは、カラオケ楽曲の再演奏が指示された場合に、演奏が中止されたタイミングよりも所定時間前から再演奏が開始されるように制御するためのプログラムからなる。すなわち、カラオケリモコン装置２２の再演奏指示手段２２ｄから再演奏指示信号を受信すると、再演奏制御手段５２ｂの機能により、中途録音情報記憶部４３ｂに記録された中途録音情報（録音済演奏範囲データ）を参照して、例えば、演奏が中止された演奏範囲よりも所定時間前から再演奏が開始するような制御を行う。例えば、演奏開始から３分１５秒経過した時点で演奏が中止され、当該演奏範囲における歌唱音声が録音されている場合には、演奏中止時点の１０秒前（演奏開始から３分５秒経過した時点）から再演奏が開始される。
【００４２】
＜映像再生制御手段＞
映像再生制御手段５３は、カラオケ楽曲の演奏中に、映像データベース４４ｂから抽出した映像データ及び楽曲データベース４４ａから抽出した楽曲データのうちの歌詞テロップデータ（歌詞文字データ）を、当該カラオケ楽曲の演奏データに同期させて表示装置２６に出力するための電子回路である。この際、カラオケ楽曲の演奏進行に従って、歌詞文字が色変わりして表示される。
さらに、映像再生制御手段５３は、歌詞表示制御手段５３ａとして機能するプログラムを含む構成とすることができる。
【００４３】
＜歌詞表示制御手段＞
歌詞表示制御手段５３ａは、カラオケ楽曲の再演奏が指示された場合には、当該カラオケ楽曲の歌詞表示において、歌唱音声の録音を行わない録音済演奏範囲と歌唱音声の録音を行う未録音演奏範囲とを識別可能に表示制御するためのプログラムからなる。録音済演奏範囲と未録音演奏範囲とを識別可能とするためには、例えば、歌詞文字の表示色やフォントをそれぞれ異なるものとすればよい。
【００４４】
表示装置２６は、カラオケ演奏時の映像、歌詞テロップ等を表示するための装置で、例えば、ＣＲＴディスプレイ、液晶ディスプレイ、プラズマディスプレイ等により構成される。
【００４５】
＜再演奏／追加録音制御＞
次に、図３〜図５を参照して、本発明の実施形態の演奏中止対応カラオケ録音システムによる再演奏及び追加録音の制御を説明する。図３は、演奏中止対応カラオケ録音システムによる再演奏／追加録音制御を説明する説明図、図４は、演奏中止指示／再演奏指示を説明するためのカラオケリモコン装置の模式図、図５は、再演奏が開始された際、表示装置に表示される歌詞テロップ表示画面の模式図である。
【００４６】
カラオケ楽曲が演奏されている際に、カラオケリモコン装置２２の演奏中止スイッチが操作されると（図４参照）、演奏中止指示手段２２ｃの機能により演奏中止指示信号がカラオケ本体２１へ送信され、演奏中止手段５２ａの機能により、当該カラオケ楽曲の演奏が中止される。図３に示す例では、録音手段４８の機能を用いて歌唱音声の録音が行われているカラオケ楽曲について、演奏開始から３分１５秒経過した時点で演奏が中止されている。カラオケ楽曲の演奏が中止されると、録音情報記録手段４８ａの機能により、当該カラオケ楽曲の楽曲ＩＤと、録音済演奏範囲データ（演奏開始から３分１５秒経過するまでの演奏範囲について録音が行われた旨のデータ）と、中途録音データ（演奏開始から３分１５秒経過するまでの演奏範囲における録音データ）とが紐付けされた中途録音情報が作成され、中途録音情報記憶部４３ｂに記録される。
【００４７】
ここで、カラオケリモコン装置２２の再演奏スイッチが操作されると（図４参照）、再演奏指示手段２２ｄの機能により再演奏指示信号がカラオケ本体２１へ送信され、再演奏制御手段５２ｂの機能により、中途録音情報記憶部４３ｂに記録された中途録音情報（録音済演奏範囲データ）を参照して、演奏中止時点よりも所定時間前から演奏が開始するように、当該カラオケ楽曲の演奏が再開される。図３に示す例では、演奏開始から３分１５秒経過した時点で演奏が中止されているので、当該演奏中止時点よりも１０秒前（演奏開始から３分５秒経過した時点）から演奏が再開される。この際、フェードインを行うことにより、歌唱者及び聴取者に違和感を与えることなく、再演奏を開始することができる。そして、録音手段４８の機能により、録音が途中で中止された時点（演奏開始から３分１５秒経過時点）以降の録音が行われる。
【００４８】
この際、図５に示すように、歌詞表示制御手段５３ａの機能により、既に歌唱音声の録音が実施された録音済演奏範囲では、歌詞文字が白色で表示され、未だ歌唱音声の録音が実施されていない未録音演奏範囲では、歌詞文字が青色で表示される。これにより、歌唱者は、録音済演奏範囲と未録音演奏範囲を識別することができる。図５に示す例では、歌い出し区間である演奏範囲において、演奏の進行に伴って歌詞文字を色変わり表示させている。
【００４９】
＜他の実施形態＞
本発明の演奏中止対応カラオケ録音システム及びその周辺装置を構成する機器や手段は上述したものに限定されず、その利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５０】
＜ネットワークカラオケシステム＞
また、上述した実施形態は、カラオケ演奏装置１１をスタンドアロンで使用した例を示しているが、各カラオケ店舗等に設置されたカラオケ演奏装置１１を端末装置とし、インターネット回線等を用いて、端末装置とホスト装置とをネットワーク接続した構成とすることもできる。この場合には、ホスト装置において、利用者ＩＤや、中途録音データ等を集中管理することにより、ネットワーク接続された各カラオケ演奏装置１１において同様のサービスを提供することができる。
【符号の説明】
【００５１】
１１  カラオケ演奏装置
２１  カラオケ本体
２２  カラオケリモコン装置
２２ａ  楽曲検索手段
２２ｂ  楽曲索引データベース
２２ｃ  演奏中止指示手段
２２ｄ  再演奏指示手段
２２ｅ  利用者ＩＤ取得手段
２３  マイクロホン
２４  ミキシングアンプ
２５  スピーカ
２６  表示装置
３１  ＩＤ媒体
４１  中央制御手段
４２  ＲＯＭ
４３  ＲＡＭ
４３ａ  予約待ち行列
４３ｂ  中途録音情報記憶部
４３ｃ  完成録音情報記憶部
４４  ＨＤＤ
４４ａ  楽曲データベース
４４ｂ  映像データベース
４５  送受信手段
４６  予約管理手段
４７  ログイン利用者管理手段
４８  録音手段
４８ａ  録音情報記録手段
５０  録音機能制御手段
５１  Ａ／Ｄコンバータ
５２  音楽再生制御手段
５２ａ  演奏中止手段
５２ｂ  再演奏制御手段
５３  映像再生制御手段
５３ａ  歌詞表示制御手段
【図１】
2010237389.tif 000003
【図２】
2010237389.tif 000004
【図３】
2010237389.tif 000005
【図４】
2010237389.tif 000006
【図５】
2010237389.tif 000007